(57)【特許請求の範囲】
【請求項１】
手摺り本体と、前記手摺り本体に設けられて壁面に固定される複数の固定部と、を備え、
前記固定部が、前記手摺り本体の長手方向に複数設けられる手摺り側連結部と、前記壁面に設けられて対応する前記手摺り側連結部と連結される複数の壁側連結部と、を有する手摺りの設置方法であって、
前記手摺り本体の前記壁面を向く裏面側に長手方向に複数の前記手摺り側連結部を設け、
前記壁側連結部を、前記壁面の前記手摺り側連結部に概ね対応する位置に位置調節可能な状態で仮固定し、
前記手摺り本体の壁面側の端部を下方に向けて前記壁面への設置予定位置の上側に仮配置し、
前記壁側連結部の上面を、仮配置した前記手摺り本体の下面に当接させ、且つ、前記壁側連結部の側面を、仮配置した前記手摺り側連結部の側面に当接させて、前記壁側連結部を前記壁面に本固定し、
前記手摺り本体の前記手摺り側連結部を前記壁面に固定された前記壁側連結部に連結することを特徴とする手摺りの設置方法。
【請求項２】
前記壁面に固定した前記壁側連結部を、前記壁面に相対する方向から視たときの形状が、コ字状であることを特徴とする請求項１に記載の手摺りの設置方法。
【発明の詳細な説明】
【技術分野】
【０００１】
本発明は、手摺りの設置方法に関する。
【背景技術】
【０００２】
従来、長尺な部材である手摺り本体を壁面に固定するために複数の固定部が用いられる。そして、固定部が、手摺り本体に固定される手摺り側連結部と、壁面に固定され手摺り側連結部と連結される壁側連結部と、を有するものが知られている（例えば特許文献１参照）。
【先行技術文献】
【特許文献】
【０００３】
【特許文献１】特開２００８−５７１０４号公報
【発明の概要】
【発明が解決しようとする課題】
【０００４】
特許文献１に記載されている発明では、作業者は、手摺り本体の所定位置に複数の手摺り側連結部を固定し、各手摺り側連結部に対応する複数の壁側連結部を壁面に固定する。そして、作業者は、それぞれの壁側連結部にそれぞれの手摺り側連結部を連結することにより、手摺りを壁面に固定していた。そのため、手摺り側連結部と壁側連結部の位置決めが困難であり、手摺り側連結部と壁側連結部とを精度良く連結することが困難になってしまっていた。
【０００５】
本発明は上記従来の問題点に鑑みて発明したものであって、その目的とするところは、手摺り側連結部と壁側連結部の位置決めが容易であり且つ精度良く連結できる、手摺りの設置方法を提供することを課題とするものである。
【課題を解決するための手段】
【０００６】
上記課題を解決するために、本発明は、以下のような構成とする。
【０００７】
手摺り本体と、前記手摺り本体に設けられて壁面に固定される複数の固定部と、を備え、前記固定部が、前記手摺り本体の長手方向に複数設けられる手摺り側連結部と、前記壁面に設けられて対応する前記手摺り側連結部と連結される複数の壁側連結部と、を有する手摺りの設置方法であって、前記手摺り本体の前記壁面を向く裏面側に長手方向に複数の前記手摺り側連結部を設け、前記壁側連結部を、前記壁面の前記手摺り側連結部に概ね対応する位置に位置調節可能な状態で仮固定し、前記手摺り本体の壁面側の端部を下方に向けて前記壁面への設置予定位置の上側に仮配置し、前記壁側連結部の上面を、仮配置した前記手摺り本体の下面に当接させ、且つ、前記壁側連結部の側面を、仮配置した前記手摺り側連結部の側面に当接させて、前記壁側連結部を前記壁面に本固定し、前記手摺り本体の前記手摺り側連結部を前記壁面に固定された前記壁側連結部に連結することを特徴とする。
【発明の効果】
【０００８】
本発明の手摺りの設置方法では、手摺り側連結部と壁側連結部の位置決めが容易であり且つ精度良く連結できる。
【図面の簡単な説明】
【０００９】
【図１】図１は本実施形態の手摺りが設置された浴室の斜視図である。
【図２】図２Ａは本実施形態の手摺り本体と固定部の断面図であり、図２Ｂは本実施形態の手摺り本体と固定部の分解斜視図である。
【図３】図３Ａは使用者が椅子から立ち上がるときの説明図であり、図３Ｂは使用者が洗い場から浴槽へ移動する説明図であり、図３Ｃは使用者が浴槽に座るときの説明図である。
【図４】図４は壁側固定部の斜視図である。
【図５】図５Ａは手摺りの分解斜視図であり、図５Ｂは手摺り本体と棚部の断面図である。
【図６】図６は手摺り側連結部が固定された手摺り本体を壁側連結部に載置した状態を浴室外から視た斜視図である。
【発明を実施するための形態】
【００１０】
以下、本発明を添付図面に示す実施形態に基いて説明する。
【００１１】
浴室１は、図１に示すように、洗い場１１と、洗い場１１に隣接する浴槽１２と、を備える。また、浴室１は、洗い場１１と浴槽１２との境界部分以外における、洗い場１１の外周縁と浴槽１２の外周縁から上方に立ち上げて設けられる壁部１３を備える。壁部１３は、本実施形態では、複数の壁パネル２で構成されるが、壁部１３の構成は特に限定されない。また、浴室１は、複数の壁パネル２の上縁部に接続される天井部（図示せず）を備える。天井部は、複数の壁パネル２により形成される上方への開口を閉塞する。
【００１２】
浴室１は、本実施形態では、床パンにより構成される洗い場１１と、浴槽１２と、壁パネル２と、天井パネルを有する天井部と、を備えた浴室ユニットとなっているが、特に限定されるものではない。
【００１３】
壁部１３では、鏡、シャワー装置及びカウンターが設置され、洗い場１１と浴槽１２に跨って設置された壁パネル２を第一の壁パネル２１とする。また、第一の壁パネル２１に隣接し、浴槽１２のフランジ部１２ａの縁に設置された壁パネル２を第二の壁パネル２２とする。ここで、本実施形態では、第一の壁パネル２１の表面を壁面１３ａとする。
【００１４】
ここで、浴室１から第一の壁パネル２１に向かう方向を後方向、その反対方向を前方向とする。また、第一の壁パネル２１に相対したときにおける、右側を右方向、左側を左方向とする。
【００１５】
第一の壁パネル２１には、本実施形態では、第一の壁パネル２１の幅方向（水平方向）に長尺な手摺り１４が設置される。手摺り１４は、第一の壁パネル２１の幅方向の略全長に亘って設けられることが好ましい。なお、手摺り１４は、他の壁パネル２に設置されてもよく限定されない。
【００１６】
手摺り１４は、図１，図２Ａ，図２Ｂに示すように、使用者が手で掴む手摺り本体３と、手摺り本体３を壁面１３ａに固定する複数の固定部４と、を備える。手摺り本体３は、本実施形態では、第一の壁パネル２１と対向するように配置される前板部３０となっている。以下では、手摺り本体３を前板部３０として説明する。手摺り１４が前板部３０を有することにより、後述する棚部５に載置された物品が落ち難くなる。
【００１７】
前板部３０は、使用者により掛けられる下方への荷重を受けられるように、固定部４で第一の壁パネル２１に固定される。このため、前板部３０は荷重受け部として形成されている。前板部３０は、例えば、使用者が前板部３０の上端部を掴み椅子から立ち上がるときにおける、下方へ押す荷重を受けることができる。
【００１８】
また、前板部３０は、本実施形態では、中空状となっており、その内部の後面に沿ってＣ型のチャンネル材が配置される。
【００１９】
前板部３０は、第一の壁パネル２１の左右方向を長手方向とし、第一の壁パネル２１の上下方向を短手方向とする、長尺な板状に形成される。前板部３０は、本実施形態では、第一の壁パネル２１の壁面１３ａにおいて、幅方向の全長に亘って設けられるが、長手方向の長さは限定されない。
【００２０】
前板部３０は、例えば、図３Ａに示すように使用者が座椅子から立ち上がるときや、図３Ｂに示すように洗い場１１から浴槽１２へ移動するとき、図３Ｃに示すように浴槽１２内に座るとき、等の動作をサポートする。
【００２１】
前板部３０は、手摺りとしての機能を有するが、表面を化粧板として壁部１３の表面に合わせることができるため、浴室１内の意匠性を損ない難い。
【００２２】
また、図２Ａに示すように、本実施形態の後面（前板部３０の第一の壁パネル２１側の面）の上端部には、前記上端部を手で掴んだ際に指が引っ掛かり、手が前記上端部から抜けないように引掛け部３１が設けられる。引掛け部３１は、少なくとも前板部３０の後面の上端部に設けられていればよく、前板部３０の後面及び前面の両方に設けられてもよい。
【００２３】
引掛け部３１は、他の部分よりも大きく形成された膨大部３２であることが好ましい。なお、引掛け部３１は、前板部３０の後面の上端部において、前面側に凹没した溝部（図示せず）であってもよい。
【００２４】
膨大部３２は、前板部３０の後面部の上端部に長手方向の全長に亘って形成される。膨大部３２は、前板部３０の後面部の上端部において、後方向に突出して形成される。膨大部３２は、図２Ａに示すように、その上面部が前板部３０の後面部の上端から後方に行く程下方に位置するように傾斜し、その後面部が傾斜先端から下方に垂下している。膨大部３２は、その下面部が垂下した先端から前方に行く程上方に位置するように傾斜した傾斜部３１ａとなる。
【００２５】
前板部３０を掴んだ使用者の指が掛かる部分を上記したような傾斜部３１ａとすることで、膨大部３２を伝ってきた洗剤が、使用者の指が掛かる部分の表面に伝って行き難くなる。これにより、前板部３０の上端部を掴んだ使用者の指が滑り難くなり、前板部３０の上端部から使用者の手が抜けてしまい難くなる。また、傾斜部３１ａを粗面化してもよい。この場合も、前板部３０の上端部を掴んだ使用者の指が滑り難くなり、前板部３０の上端部から使用者の手が抜けてしまい難くなる。
【００２６】
前板部３０は、壁部１３の内、浴槽１２と洗い場１１に跨って設置される壁パネル２（本実施形態では第一の壁パネル２１）において、浴槽１２と洗い場１１に跨って設けられることが好ましい。これにより、洗い場１１から浴槽１２、浴槽１２から洗い場１１への移動を前板部３０でサポートすることができる。
【００２７】
固定部４は、図２Ａ，図２Ｂに示すように、壁部１３の壁面１３ａに固定される壁側連結部４１と、前板部３０の後面に固定され壁側連結部４１と連結する手摺り側連結部４４と、を有する。固定部４は、本実施形態では、第一の壁パネル２１に三組設置されているが、その数は限定されない。
【００２８】
壁側連結部４１は、本実施形態では、第一の壁パネル２１に固定される。壁側連結部４１は、壁側連結部４１を壁面１３ａに固定するための工具が壁側連結部４１の内部に挿入され易くするため、図４に示すように、壁面１３ａに相対する方向に視て略コ字状となっている。壁側連結部４１は、本実施形態では、前方向と右方向に開口しており、左側の側面が略平面となっている。なお、壁側連結部４１は、前方向と左方向に開口し、右側の側面が略平面となってもよく、特に限定されない。
【００２９】
また、壁側連結部４１の下面部４２には、図２Ａ，図４に示すように、手摺り側連結部４４を連結させる固定具７１が締められるねじ孔４２ａが形成される。壁側連結部４１は、壁側に設けられる固定面部４３を有する。固定面部４３には、固定具７０が挿通し、固定具７０の螺子部よりも大きく形成された調整孔４３ａが形成される。
【００３０】
調整孔４３ａの大きさは、壁側連結部４１の壁面１３ａに対する固定具７０による固定が緩い仮固定であるとき、調整孔４３ａの範囲内で壁側連結部４１を動かせ、且つ固定具７０の頭部が入らない程度である。調整孔４３ａは、本実施形態では、左右方向に長い長孔となっているが、その形状は特に限定されない。
【００３１】
手摺り側連結部４４は、図２Ａ，図２Ｂに示すように、有底角筒状となっている。手摺り側連結部４４は、後方向に開口している。手摺り側連結部４４は、前板部３０側に設けられ前板部３０に固定するために固定具７２を挿通させる挿通孔４６ａが設けられた固定面部４６を有する。手摺り側連結部４４の下面部４５には、壁側連結部４１の下面部４２に設けられたねじ孔４２ａと連通し固定具７１が挿入される挿通孔４５ａが形成される。
【００３２】
手摺り側連結部４４は、本実施形態では、前板部３０とは別体で設けられるが、前板部３０と一体に設けられてもよく、限定されない。また、手摺り側連結部４４は、施工現場ではなく、工場での製造時に前板部３０に固定されてもよいし、施工現場で固定されてもよい。
【００３３】
固定部４では、図２Ａに示すように、壁側連結部４１が手摺り側連結部４４の内部に挿入される。そして、固定具７１が手摺り側連結部４４の下面部４５の挿通孔４５ａから挿入され、壁側連結部４１の下面部４２のねじ孔４２ａに締められることにより、壁側連結部４１と手摺り側連結部４４とが連結される。ここで、手摺り側連結部４４の下面部４５には水が付着し難いので、挿通孔４５ａから壁側連結部４１と手摺り側連結部４４との間に水が浸入し難い。
【００３４】
上記したように、固定部４は壁側連結部４１と手摺り側連結部４４に分かれており、夫々を壁部１３又は前板部３０に固定し、夫々を連結させて第一の壁パネル２１に前板部３０が固定される。そのため、前板部３０を壁部１３に強固に固定して、前板部３０が使用者から与えられた荷重を受けることができるようになり、浴室１内での使用者の動作をサポートすることができる。
【００３５】
また、手摺り１４は、図１，図５Ａに示すように、前板部３０と壁面１３ａとの間に形成される収納スペース１４ａに配置される棚部５を有する。棚部５は、本実施形態では、収納スペース１４ａに二つ配置されるが、その数は特に限定されない。棚部５は、三組配置されている固定部４における、左側の固定部４と中央の固定部４との間、中央の固定部４と右側の固定部４との間の収納スペース１４ａに配置される。
【００３６】
棚部５は、物品が載置される載置部５１と、載置部５１を着脱自在に支持する支持部６と、を有する。
【００３７】
載置部５１は、図１，図５Ａ，図５Ｂに示すように、前後方向に長い縦線材５２と、左右方向に長い横線材５３と、を有する。縦線材５２と横線材５３は、同一平面上に位置するため、載置部５１は平らな形状となる。棚部５を構成する縦線材５２と横線材５３は、ステンレス等の金属で形成される。載置部５１は、本実施形態では、三本の縦線材５２と七本の横線材５３を有しているが、縦線材５２と横線材５３の数は特に限定されない。また、載置部５１では、横線材５３の方が縦線材５２よりも長く形成される。
【００３８】
載置部５１の長手方向の長さは、浴槽１２の短手方向における浴槽１２の内壁間の最大距離よりも長いことが好ましい。これにより、載置部５１は、図１に示すように、長手方向の両端部が、浴槽１２の短手方向における、フランジ部１２ａの一端側と他端側に載置できる。このとき、載置部５１により、浴槽１２に物品を置く場所を確保することができる。例えば、この架け渡した載置部５１には、ボトルを置いたり、本を置いたり、防水仕様の小型テレビを置いたりすることができる。
【００３９】
載置部５１は、図５Ａ，図５Ｂに示すように、第一の壁パネル２１と前板部３０の後面に固定された複数の支持部６に載置される。支持部６は、左側の固定部４と中央の固定部４との間において、第一の壁パネル２１に二個、前板部３０に二個配置される。さらに、支持部６は、中央の固定部４と右側の固定部４との間において、第一の壁パネル２１に二個、前板部３０に二個配置される。これらの支持部６は、載置部５１が水平に載置されるように同一水平面上に位置して固定される。また、それぞれの支持部６は、載置部５１の長手方向の両端部が載置されるように配置される。支持部６は、本実施形態では、合計八個配置されるが、その数は限定されない。
【００４０】
支持部６は、図５Ｂに示すように、横線材５３が設置され固定具７３，７４が挿入される挿入孔６１ａを有する円筒状の設置部６１と、設置部６１の一方の端部に設けられ隣り合う横線材５３の隙間に入り込む拡径部６２と、を有する。
【００４１】
第一の壁パネル２１に固定される支持部６では、拡径部６２が設けられる側とは反対側の設置部６１の端部を第一の壁パネル２１の壁面１３ａに接触させ、挿入孔６１ａに固定具７３を挿入して、支持部６が第一の壁パネル２１に固定される。
【００４２】
また、前板部３０に固定される支持部６では、拡径部６２が設けられる側とは反対側の設置部６１の端部を前板部３０の後面に接触させ、挿入孔６１ａに固定具７４を挿入して、支持部６が前板部３０に固定される。ここで、支持部６の前板部３０への固定では、前板部３０内部のチャンネル材に固定具７４が締めつけられることにより、支持部６とチャンネル材とで前板部３０の後面部を挟み込んでいる。
【００４３】
上記のように固定された支持部６に載置部５１を、図５Ｂに示すように載置する。載置部５１は、着脱自在に支持部６に載置される。左側の固定部４と中央の固定部４との間に設けられた支持部６に載置された載置部５１では、左右方向の移動を左側の固定部４と中央の固定部４とにより制限される。また、中央の固定部４と右側の固定部４との間に設けられた支持部６に載置された載置部５１では、左右方向の移動を中央の固定部４と右側の固定部４とにより制限される。そして、前方向への移動を第一の壁パネル２１に固定された支持部６の拡径部６２と前板部３０の後面によって制限される。さらに、後方向への移動を前板部３０に固定された支持部６の拡径部６２と第一の壁パネル２１によって制限される。このように、載置部５１の前後左右方向の移動を制限することで、載置部５１が支持部６から外れて落下することを防止する。
【００４４】
上記した構成を備える手摺り１４の壁面１３ａへの設置方法について以下に記載する。
【００４５】
作業者は、複数の手摺り側連結部４４を前板部３０の後面に長手方向に配置する。作業者は、挿通孔４６ａに固定具７２を挿入しそれぞれの手摺り側連結部４４を固定する。
【００４６】
作業者は、複数の壁側連結部４１を、第一の壁パネル２１の壁面１３ａの手摺り側連結部４４に概ね対応する位置に配置する。作業者は、調整孔４３ａに固定具７０を挿入し、壁側連結部４１を調整孔４３ａの範囲内で動ける位置調節可能な状態で第一の壁パネル２１に壁側連結部４１を仮固定する。
【００４７】
作業者は、それぞれの手摺り側連結部４４の開口を下方に向けることで、前板部３０の後面を下方に向け、さらに引掛け部３１を前側に位置させ、壁面１３ａへの設置予定位置の上側に仮配置する。
【００４８】
作業者は、仮配置した前板部３０をいずれかの壁側連結部４１の上面に載置する。このとき、作業者は、必要であれば、前板部３０を左右方向に動かし、いずれかの壁側連結部４１の側面をいずれかの手摺り側連結部４４の側面の内の左側の略平面となっている面に当接させる。
【００４９】
作業者は、図６に示すように、それぞれの壁側連結部４１の上面を、前板部３０の下端面に当接させる。
【００５０】
さらに、作業者は、それぞれの壁側連結部４１の側面の内の左側の略平面となっている面を、それぞれの手摺り側連結部４４の側面に当接させる。
【００５１】
作業者は、その状態の壁側連結部４１を壁面１３ａに固定具７０をさらに締め付けて本固定する。
【００５２】
作業者は、前板部３０を取外し、第一の壁パネル２１において、複数の支持部６をそれぞれの壁側連結部４１の間の所定位置に配置し固定する。さらに、作業者は、前板部３０において、複数の支持部６をそれぞれの手摺り側連結部４４の間の所定位置に配置し固定する。
【００５３】
作業者は、それぞれの手摺り側連結部４４の内部へ対応するそれぞれの壁側連結部４１を挿入する。作業者は、壁側連結部４１の下面部４２のねじ孔４２ａと手摺り側連結部４４の下面部４５の挿通孔４５ａとを連通させる。作業者は、固定具７１を挿通孔４５ａに挿入して、ねじ孔４２ａに締めつけることにより、壁側連結部４１と手摺り側連結部４４とを連結させる。
【００５４】
作業者は、それぞれの固定部４の間に配置された支持部６の設置部６１に、棚部５を設置する。
【００５５】
このような作業により、本実施形態の手摺り１４が第一の壁パネル２１に設置される。また、他の壁パネル２についても同様の方法で、手摺り１４を設置できる。
【００５６】
本実施形態の手摺り１４の設置方法では、手摺り側連結部４４と壁側連結部４１の位置決めが容易であり且つ精度良く連結できる。このとき、壁側連結部４１を治具として使用して位置決めを行うので、位置決めの精度を向上させることができる。そして、壁側連結部４１と手摺り側連結部４４とが精度よく位置決めをされて、壁側連結部４１と手摺り側連結部４４とが連結されるので、壁面１３ａに対する手摺り１４の固定強度の低下を抑制できる。
【００５７】
上記した構成を備えた手摺り１４は、以下のような方法で壁面１３ａに設置される。
【００５８】
手摺り１４は、手摺り本体３と、手摺り本体３に設けられて壁面１３ａに固定される複数の固定部４と、を備える。固定部４が、手摺り本体３の長手方向に複数設けられる手摺り側連結部４４と、壁面１３ａに設けられて対応する手摺り側連結部４４と連結される複数の壁側連結部４１と、を有する。作業者は、手摺り本体３の壁面１３ａを向く裏面側に長手方向に複数の手摺り側連結部４４を設ける。作業者は、壁側連結部４１を、壁面１３ａの手摺り側連結部４４に概ね対応する位置に位置調節可能な状態で仮固定する。作業者は、手摺り本体３の壁面１３ａ側の端部を下方に向けて壁面１３ａへの設置予定位置の上側に仮配置する。作業者は、壁側連結部４１の上面を、仮配置した手摺り本体３の下面に当接させ、且つ、壁側連結部４１の側面を、仮配置した手摺り側連結部４４の側面に当接させて、壁側連結部４１を壁面１３ａに本固定する。作業者は、手摺り本体３の手摺り側連結部４４を壁面１３ａに固定された壁側連結部４１に連結することを特徴とする。
【００５９】
これにより、手摺り側連結部４４と壁側連結部４１の位置決めが容易であり且つ精度良く連結できる。
【００６０】
また、壁面１３ａに固定した壁側連結部４１を正面から視たときの形状が、コ字状であることを特徴とすることが好ましい。
【００６１】
これにより、開口があることで工具が挿入し易くなり、作業者が壁側連結部４１を壁面１３ａに固定し易くなる。
【符号の説明】
【００６２】
１    浴室
１３  壁部
１３ａ  壁面
１４  手摺り
２    壁パネル
３    手摺り本体
３０  前板部
４    固定部
４１  壁側連結部
４４  手摺り側連結部
５    棚部
６    支持部
【図１】
0006410175.tif 000002
【図２】
0006410175.tif 000003
【図３】
0006410175.tif 000004
【図４】
0006410175.tif 000005
【図５】
0006410175.tif 000006
【図６】
0006410175.tif 000007